(57)【要約】【課題】  底板の端部を側板の嵌入溝に嵌め込んで底板を側板の嵌入溝によって保持していて、且つ、コ字型支持片を用いて底板を支持する堀座卓の下箱構造であって、底板の端部加工の手間が不要となる堀座卓の下箱構造を提供する。【解決手段】  四周側板２の嵌入溝３に底板４の端部５を嵌め込んで下箱１を構成し、且つ、その両側片８、８を、対向する側板２、２に固定しているコ字型支持片７を用いて底板４を支持してなる下箱構造であって、下箱１が、前記嵌入溝３に直方体の底板４の端部５を嵌め込み、底板４の下方に側板２と底板４とで空間１１が形成されている下箱１であり、且つ、コ字型支持片７の中央に上方に突出して底板４の底面に当接させる折曲片１０を形成していて、この折曲片１０を底板４の底面に当接させながら、コ字型支持片７の両側片８、８を、対向する側板２、２に固定している堀座卓の下箱構造。【選択図】図１
2005241022.tif 000002
【特許請求の範囲】
【請求項１】
四周側板の下端に嵌入溝を形成し、これらの嵌入溝に底板の端部を嵌め込んで下箱を構成し、且つ、その両側片を、対向する側板の外面に固定しているコ字型支持片を用いて底板を支持してなる堀座卓の下箱構造であって、
下箱が、前記嵌入溝に直方体の底板の端部を嵌め込み、底板の下方に側板と底板とで空間が形成されている下箱であり、且つ、コ字型支持片の中央に上方に突出して底板の底面に当接させる折曲片を形成していて、この折曲片を底板の底面に当接させながら、コ字型支持片の両側片を、対向する側板の外面に固定していることを特徴とする堀座卓の下箱構造。
【請求項２】
コ字型支持片を複数本、平行して配設していることを特徴とする請求項１記載の堀座卓の下箱構造。
【発明の詳細な説明】
【技術分野】
【０００１】
本発明は、室内の床に設けられる堀座卓の下箱構造に関するものである。
【背景技術】
【０００２】
室内の床に設けられる堀座卓は、床に設けた開口部に、ヒーターを具備した上面が開口する堀座卓本体を埋め込むことによって形成される。堀座卓本体の断熱性を向上するために、床に設けた開口部に上面が開口した堀座卓の下箱を埋め込み、この下箱の内部に堀座卓本体を埋め込むことが検討されている（特許文献１参照）。特許文献１に示されている堀座卓の下箱１では、図２（ａ）に示すように、四周の側板２の下端に嵌入溝３を形成し、これらの嵌入溝３に底板４の端部５に形成した嵌合凸部６を嵌め込んで下箱１を構成している。底板４の端部５の下端をカットして嵌合凸部６を形成し、その嵌合凸部６を嵌入溝３に嵌め込むことにより、側板２の底面と底板４の底面とを面一に形成している。
【０００３】
この下箱１の場合には、底板４が側板２の嵌入溝３によって保持されるが、確実に保持されるように、図２（ｂ）に示すコ字型支持片７を用いて、図２（ｃ）に示すように、底板４を支持することがある。その場合、コ字型支持片７は、その両側片８、８を、対向する側板２、２の外面にビス９を用いて固定される。
【０００４】
しかし、図２（ｃ）に示すようなコ字型支持片７を用いた下箱１の場合には、側板２の底面と底板４の底面とが面一になるように、底板４の端部５の下端をカットして嵌合凸部６を形成する必要があり、底板４に嵌合凸部６を形成するための加工に手間がかかるという問題があった。
【特許文献１】特開平１１−２８１０６１号公報（図１）
【発明の開示】
【発明が解決しようとする課題】
【０００５】
本発明は、上記背景技術に鑑みて発明されたものであり、その課題は、底板の端部を側板の嵌入溝に嵌め込んで底板を側板の嵌入溝によって保持していて、且つ、コ字型支持片を用いて底板を支持する堀座卓の下箱構造であって、底板の端部加工の手間が不要となる堀座卓の下箱構造を提供することである。
【課題を解決するための手段】
【０００６】
上記課題を解決するために、請求項１に係る発明は、四周側板の下端に嵌入溝を形成し、これらの嵌入溝に底板の端部を嵌め込んで下箱を構成し、且つ、その両側片を、対向する側板の外面に固定しているコ字型支持片を用いて底板を支持してなる堀座卓の下箱構造であって、下箱が、前記嵌入溝に直方体の底板の端部を嵌め込み、底板の下方に側板と底板とで空間が形成されている下箱であり、且つ、コ字型支持片の中央に上方に突出して底板の底面に当接させる折曲片を形成していて、この折曲片を底板の底面に当接させながら、コ字型支持片の両側片を、対向する側板の外面に固定していることを特徴としている。このようにすることによって、底板の端部を側板の嵌入溝に嵌め込んで底板を側板の嵌入溝によって保持していて、且つ、コ字型支持片を用いて底板を支持する堀座卓の下箱構造であって、底板の端部加工の手間が不要となる堀座卓の下箱構造となる。
【０００７】
請求項２に係る発明は、請求項１記載の堀座卓の下箱構造において、コ字型支持片を複数本、平行して配設していることを特徴としている。このようにすることによって、底板が側板の嵌入溝によってより確実に保持される堀座卓の下箱構造となる。
【発明の効果】
【０００８】
本発明の堀座卓の下箱構造においては、下箱が嵌入溝に直方体の底板の端部を嵌め込んでいて、底板の下方に側板と底板とで空間が形成されている下箱であり、且つ、コ字型支持片の中央に上方に突出して底板の底面に当接させる折曲片を形成していて、この折曲片を底板の底面に当接させながら、コ字型支持片の両側片を、対向する側板の外面に固定しているため、底板の端部を側板の嵌入溝に嵌め込んで底板を側板の嵌入溝によって保持していて、且つ、コ字型支持片を用いて底板を支持する堀座卓の下箱構造であって、底板の端部加工の手間が不要となる堀座卓の下箱構造となる。
【発明を実施するための最良の形態】
【０００９】
以下、本発明の好ましい実施の形態について説明する。図１は、本発明の一実施形態を示すものである。この実施形態では、図１（ａ）に示すように、四周の側板２の下端に嵌入溝３を形成し、これらの嵌入溝３に底板４の端部５を嵌め込んで下箱１を構成する。側板２及び底板４は、断熱材料で構成されることが好ましく、例えばウレタンフォームやグラスウール等を用いたものが好ましい。
【００１０】
そして、この実施形態で使用する底板４は直方体であって、その端部５には切込み加工等がされていないものである。すなわち、側板２に形成している嵌入溝３には、切込み加工等がされていない、直方体の底板４の端部５が嵌め込まれる。そのため、この実施形態では、底板４の端部５に加工を施す手間は不要となる。この場合、嵌入溝３に底板４の端部５を嵌め込んだ下箱１は、底板４の下方に側板２と底板４とで空間１１が形成されることになる。
【００１１】
また、この実施形態で使用するコ字型支持片７は、図１（ｂ）に示すように、その中央に上方に突出して底板４の底面に当接させる折曲片１０を形成している。折曲片１０はコ字型支持片７の中央の両側から突出している。そして、図１（ｃ）に示すように、この上方に突出している折曲片１０を底板４の底面に当接させながら、コ字型支持片７の両側片８、８を、対向する側板２、２の外面にビス９を用いて固定している。なお、コ字型支持片７の中央に上方に突出させて形成している折曲片１０は、側板２の底面に対応する位置を除いた位置において形成しているので、側板２の底面で邪魔されることなく、底板４の底面に当接させることができる。そして、折曲片１０の高さを、図１（ａ）に示す側板２と底板４とで形成される空間１１の高さに対応させているため、コ字型支持片７は側板２の底面に当接した状態で側板２に固定されるようにしている。
【００１２】
また、コ字型支持片７を複数本、平行して配設すると、コ字型支持片７による底板４の支持がより安定するので好ましい。
【００１３】
以上説明したように、この実施形態の下箱構造は、下箱１が嵌入溝３に直方体の底板４の端部５を嵌め込んでいて、底板４の下方に側板２と底板４とで空間１１が形成されている下箱１であり、且つ、コ字型支持片７の中央に上方に突出して底板４の底面に当接させる折曲片１０を形成していて、この折曲片１０を底板４の底面に当接させながら、コ字型支持片７の両側片８、８を、対向する側板２、２の外面に固定しているため、底板４の端部５を側板２の嵌入溝３に嵌め込んで底板４を側板２の嵌入溝３によって保持していて、且つ、コ字型支持片７を用いて底板４を支持する堀座卓の下箱構造であって、底板４の端部加工の手間が不要となる堀座卓の下箱構造となる。
【図面の簡単な説明】
【００１４】
【図１】本発明の堀座卓の下箱構造の一実施形態を示していて、（ａ）は下箱を示す断面図、（ｂ）はコ字型支持片７を示す斜視図、（ｃ）はコ字型支持片７を取付けた下箱を示す断面図である。
【図２】従来の堀座卓の下箱構造を説明する図であり、（ａ）は下箱を示す断面図、（ｂ）はコ字型支持片７を示す斜視図、（ｃ）はコ字型支持片７を取付けた下箱を示す断面図である。
【符号の説明】
【００１５】
１  下箱
２  側板
３  嵌入溝
４  底板
５  端部
６  嵌合凸部
７  コ字型支持片
８  側片
９  ビス
１０  折曲片
１１  空間
【図１】
2005241022.tif 000003
【図２】
2005241022.tif 000004